(57)【要約】      （修正有）【課題】第１搬送ユニット上で記録媒体が第２搬送ユニットの影響を受けるのを抑制することにより、画像不具合の発生を抑制することが可能なインクジェット記録装置を提供する。【解決手段】プリンター（インクジェット記録装置）は、用紙Ｓを吸着して搬送する第１搬送ユニット３０および第２搬送ユニット４０を備える。第１搬送ユニット３０は、第１貫通孔が形成された第１搬送ベルト３３と、第１吸引口３５ａが設けられた第１吸引部３４と、を含む。第２搬送ユニット４０は、第２貫通孔が形成された第２搬送ベルト４３と、第２吸引口４５ａが設けられた第２吸引部４４と、を含む。用紙Ｓが第１搬送ユニット３０と第２搬送ユニット４０とに跨っているとき、用紙Ｓに対する第１搬送ユニット３０の吸着力は用紙Ｓに対する第２搬送ユニット４０の吸着力よりも大きい。【選択図】図２
2016198882.tif 000002
【特許請求の範囲】
【請求項１】
記録媒体上にインクを吐出する記録ヘッドと、
前記記録ヘッドの下方に配置され、前記記録媒体を吸着して搬送する第１搬送ユニットと、
前記第１搬送ユニットの記録媒体搬送方向下流側に配置され、前記記録媒体を吸着して搬送する第２搬送ユニットと、
を備え、
前記第１搬送ユニットは、複数の第１貫通孔が形成された無端状の第１搬送ベルトと、前記第１搬送ベルトの内側に配置され、前記記録媒体を前記第１搬送ベルトに吸着させるために空気を吸引する第１吸引口が設けられた第１吸引部と、を含み、
前記第２搬送ユニットは、複数の第２貫通孔が形成された無端状の第２搬送ベルトと、前記第２搬送ベルトの内側に配置され、前記記録媒体を前記第２搬送ベルトに吸着させるために空気を吸引する第２吸引口が設けられた第２吸引部と、を含み、
前記第１搬送ユニットおよび前記第２搬送ユニットは、前記記録媒体が前記第１搬送ユニットと前記第２搬送ユニットとに跨っているとき、前記記録媒体に対する前記第１搬送ユニットの吸着力が前記記録媒体に対する前記第２搬送ユニットの吸着力よりも大きくなるように構成されており、
前記第２吸引口は、前記第１吸引口から、記録媒体搬送方向において最小サイズの記録媒体の長さ以上の距離を隔てて配置されていることを特徴とするインクジェット記録装置。
【請求項２】
前記第２吸引口は、前記記録媒体搬送方向と直交する記録媒体幅方向において最小サイズの記録媒体が通過する通過領域内に配置されていることを特徴とする請求項１に記載のインクジェット記録装置。
【請求項３】
前記第１吸引口は、前記記録媒体搬送方向と直交する記録媒体幅方向において最小サイズの記録媒体が通過する通過領域内に配置されていることを特徴とする請求項１または２に記載のインクジェット記録装置。
【請求項４】
前記第２搬送ユニットの前記記録媒体搬送方向下流側に配置される搬送ローラーと、
前記搬送ローラーとの間で前記記録媒体をニップして搬送する第３搬送ベルトと、
を備え、
前記搬送ローラーと前記第３搬送ベルトとのニップ部は、前記第１吸引口から、前記記録媒体搬送方向において最大サイズの記録媒体の長さ未満の距離を隔てて配置されていることを特徴とする請求項１〜３のいずれか１項に記載のインクジェット記録装置。
【発明の詳細な説明】
【技術分野】
【０００１】
本発明は、用紙（記録媒体）を吸着して搬送する第１搬送ユニットおよび第２搬送ユニットを備えたインクジェット記録装置に関するものである。
【背景技術】
【０００２】
従来、記録ヘッドの下方に配置され用紙を吸着して搬送する第１搬送ユニットと、第１搬送ユニットの用紙搬送方向下流側に配置され用紙を吸着して搬送する第２搬送ユニットと、を備えたインクジェット記録装置が知られている。このようなインクジェット記録装置では、第１搬送ユニットおよび第２搬送ユニットは、用紙を吸着して搬送するために貫通孔が形成された搬送ベルトと、搬送ベルトの内側に配置され、用紙を搬送ベルトに吸着させるために空気を吸引する吸引部と、を含んでいる。
【０００３】
なお、記録ヘッドの下方に配置され用紙を吸着して搬送する第１搬送ユニットを備えたインクジェット記録装置は、例えば特許文献１および特許文献２に開示されている。
【先行技術文献】
【特許文献】
【０００４】
【特許文献１】特開平９−２２０８３７号公報
【特許文献２】特開２００３−１１８９０８号公報
【発明の概要】
【発明が解決しようとする課題】
【０００５】
しかしながら、第１搬送ユニットと第２搬送ユニットとを備えた従来のインクジェット記録装置では、用紙が第１搬送ユニットから第２搬送ユニットへ搬送される際、用紙が第１搬送ユニットと第２搬送ユニットとに跨った状態になる。この状態において、跨った１枚の用紙に対する第２搬送ユニットの吸着力が第１搬送ユニットの吸着力よりも大きくなると、画像不具合が発生する場合があるという問題点があった。具体的には、第２搬送ユニットの搬送速度が第１搬送ユニットの搬送速度よりも大きい場合は、用紙は第２搬送ユニットに引っ張られ、第２搬送ユニットの搬送速度が第１搬送ユニットの搬送速度よりも小さい場合は、第１搬送ユニットと第２搬送ユニットとの間で記録媒体が撓む。このため、画像不具合が発生する場合があった。
【０００６】
本発明は、上記のような課題を解決するためになされたものであり、本発明の目的は、第１搬送ユニット上で記録媒体が第２搬送ユニットの影響を受けるのを抑制することにより、画像不具合の発生を抑制することが可能なインクジェット記録装置を提供することである。
【課題を解決するための手段】
【０００７】
上記目的を達成するために、本発明の第１の構成のインクジェット記録装置は、記録媒体上にインクを吐出する記録ヘッドと、記録ヘッドの下方に配置され、記録媒体を吸着して搬送する第１搬送ユニットと、第１搬送ユニットの記録媒体搬送方向下流側に配置され、記録媒体を吸着して搬送する第２搬送ユニットと、を備える。第１搬送ユニットは、複数の第１貫通孔が形成された無端状の第１搬送ベルトと、第１搬送ベルトの内側に配置され、記録媒体を第１搬送ベルトに吸着させるために空気を吸引する第１吸引口が設けられた第１吸引部と、を含み、第２搬送ユニットは、複数の第２貫通孔が形成された無端状の第２搬送ベルトと、第２搬送ベルトの内側に配置され、記録媒体を第２搬送ベルトに吸着させるために空気を吸引する第２吸引口が設けられた第２吸引部と、を含み、第１搬送ユニットおよび第２搬送ユニットは、記録媒体が第１搬送ユニットと第２搬送ユニットとに跨っているとき、記録媒体に対する第１搬送ユニットの吸着力が記録媒体に対する第２搬送ユニットの吸着力よりも大きくなるように構成されており、第２吸引口は、第１吸引口から、記録媒体搬送方向において最小サイズの記録媒体の長さ以上の距離を隔てて配置されている。
【発明の効果】
【０００８】
本発明の第１の構成によれば、第１搬送ユニット上で記録媒体が第２搬送ユニットの影響を受けるのを抑制することにより、画像不具合の発生を抑制することができる。
【図面の簡単な説明】
【０００９】
【図１】本発明の第１実施形態のプリンターの構造を示した図である。
【図２】図１のプリンターの記録部、第１搬送ユニット、第２搬送ユニット周辺の構造を示した図である。
【図３】図１のプリンターの第１搬送ユニット及び記録部を上方から見た図である。
【図４】図１のプリンターの記録部を斜め上方から見た図である。
【図５】図１のプリンターの記録部のラインヘッドを構成する記録ヘッドを示した図である。
【図６】図１のプリンターの記録ヘッドをインク吐出面側から見た図である。
【図７】図１のプリンターの第１搬送ユニットおよび第２搬送ユニットを上方から見た図である。
【図８】本発明の第２実施形態のプリンターの第１搬送ユニットおよび第２搬送ユニットを上方から見た図である。
【発明を実施するための形態】
【００１０】
以下、本発明の実施形態について図面を参照して説明する。
【００１１】
（第１実施形態）
図１〜図７を参照して、本発明の第１実施形態のインクジェット式のプリンター１００（インクジェット記録装置）について説明する。図１に示すように、プリンター１００は、プリンター本体１の内部下方に用紙収容部である給紙カセット２が配置されている。給紙カセット２の内部には、記録媒体の一例である用紙Ｓが収容されている。給紙カセット２の用紙搬送方向下流側、すなわち図１における給紙カセット２の右側の上方には給紙装置３が配置されている。この給紙装置３により、用紙Ｓは図１において給紙カセット２の右上方に向け、１枚ずつ分離されて送り出される。
【００１２】
また、プリンター１００はその内部に第１用紙搬送路４ａを備えている。第１用紙搬送路４ａは、給紙カセット２に関して言えばその給紙方向である右上方に位置する。給紙カセット２から送り出された用紙Ｓは第１用紙搬送路４ａによりプリンター本体１の側面に沿って垂直上方に搬送される。
【００１３】
用紙搬送方向に対し第１用紙搬送路４ａの下流端にはレジストローラー対１３が備えられている。さらにレジストローラー対１３の用紙搬送方向下流側直近には第１搬送ユニット３０及び記録部９が配置されている。給紙カセット２から送り出された用紙Ｓは第１用紙搬送路４ａを通ってレジストローラー対１３に到達する。レジストローラー対１３は用紙Ｓの斜め送りを矯正しつつ記録部９が実行するインク吐出動作とのタイミングを計り、第１搬送ユニット３０に向かって用紙Ｓを送り出す。
【００１４】
記録部９は図２に示すように、第１搬送ユニット３０に吸着保持されて搬送される用紙Ｓに画像の記録を行うラインヘッド１１Ｃ、１１Ｍ、１１Ｙ及び１１Ｋを備えている。外部コンピューター等から受信した画像データの情報に対応して、後述する第１搬送ベルト３３に吸着された用紙Ｓに向かって各ラインヘッド１１Ｃ〜１１Ｋからそれぞれのインクを順次吐出することにより、用紙Ｓにはイエロー、マゼンタ、シアン、ブラックの４色のインクが重ね合わされたフルカラー画像が記録される。
【００１５】
用紙搬送方向に対し第１搬送ユニット３０の下流側（図１の左側）には第２搬送ユニット４０が配置されている。記録部９にてインク画像が記録された用紙Ｓは第２搬送ユニット４０へと送られ、第２搬送ユニット４０を通過する間に用紙Ｓ表面に吐出されたインクが乾燥される。
【００１６】
図１に示すように、用紙搬送方向に対し第２搬送ユニット４０の下流側であってプリンター本体１の左側面近傍にはデカーラー部１４が備えられている。第２搬送ユニット４０にてインクが乾燥された用紙Ｓはデカーラー部１４へと送られ、用紙Ｓに生じたカールが矯正される。
【００１７】
用紙搬送方向に対しデカーラー部１４の下流側（図１の上方）には第２用紙搬送路４ｂが備えられている。デカーラー部１４を通過した用紙Ｓは両面記録を行わない場合、第２用紙搬送路４ｂからプリンター１００の左側面外部に設けられた用紙排出トレイ１５に排出される。
【００１８】
また、第２搬送ユニット４０の下方にはメンテナンスユニット１９が配置されている。メンテナンスユニット１９は、パージを実行する際に記録部９の下方に移動し、後述する記録ヘッド１７ａ〜１７ｃの吐出ノズル１８（図３参照）から吐出されたインクを拭き取り、拭き取られたインクを回収する。
【００１９】
プリンター本体１の上部であって記録部９及び第２搬送ユニット４０の上方には両面記録を行うための反転搬送路１６が備えられている。両面記録を行う場合には第一面への記録が終了して第２搬送ユニット４０及びデカーラー部１４を通過した用紙Ｓが第２用紙搬送路４ｂを通って反転搬送路１６へと送られる。反転搬送路１６へ送られた用紙Ｓは、続いて第二面の記録のために搬送方向が切り替えられ、プリンター本体１の上部を通過して右側に向かって送られ、第１用紙搬送路４ａ、及びレジストローラー対１３を経て第二面を上向きにした状態で再度第１搬送ユニット３０へと送られる。
【００２０】
記録部９は図３および図４に示すように、ヘッドハウジング１０と、ヘッドハウジング１０に保持されたラインヘッド１１Ｃ、１１Ｍ、１１Ｙ、及び１１Ｋを備えている。これらのラインヘッド１１Ｃ〜１１Ｋは、後述する第１搬送ベルト３３の搬送面３３ａに対して所定の間隔（例えば１ｍｍ）が形成されるような高さに支持され、用紙搬送方向と直交する用紙幅方向（図３の上下方向）に沿って複数（ここでは３個）の記録ヘッド１７ａ〜１７ｃが千鳥状に配列されている。
【００２１】
図５及び図６に示すように、記録ヘッド１７ａ〜１７ｃのインク吐出面Ｆには吐出ノズル１８（図３参照）が多数配列されたノズル領域Ｒが設けられている。なお、記録ヘッド１７ａ〜１７ｃは同一の形状及び構成であるため、図５及び図６では記録ヘッド１７ａ〜１７ｃを一つの図で示している。
【００２２】
各ラインヘッド１１Ｃ〜１１Ｋを構成する記録ヘッド１７ａ〜１７ｃには、それぞれインクタンク（図示せず）に貯留されている４色（シアン、マゼンタ、イエロー及びブラック）のインクがラインヘッド１１Ｃ〜１１Ｋの色毎に供給される。
【００２３】
各記録ヘッド１７ａ〜１７ｃは、外部コンピューター等から受信した画像データに応じて、後述する第１搬送ベルト３３に吸着保持されて搬送される用紙Ｓに向かって吐出ノズル１８からインクを吐出する。これにより、第１搬送ベルト３３上の用紙Ｓにはシアン、マゼンタ、イエロー、ブラックの４色のインクが重ね合わされたカラー画像が形成される。
【００２４】
次に、第１搬送ユニット３０および第２搬送ユニット４０周辺の詳細構造について説明する。
【００２５】
第１搬送ユニット３０は図２に示すように、第１駆動ローラー３１と第１従動ローラー３２とに巻き掛けられた無端状の第１搬送ベルト３３を備えている。第１搬送ベルト３３は第１駆動ローラー３１により図２において反時計回り方向に回転する。レジストローラー対１３によって送り出された用紙Ｓは第１搬送ベルト３３の搬送面３３ａ（図２において上面）に吸着保持され、図２の矢印Ｘ方向（右方から左方）へと搬送される。
【００２６】
第１搬送ベルト３３の内側であって第１搬送ベルト３３の搬送面３３ａの裏側に対向する箇所には第１吸引部３４が備えられている。第１吸引部３４は、上面に空気吸引用の第１吸引口３５ａ（図７参照）が複数設けられた第１ダクト３５と、第１ダクト３５内の空気を外部に排出して第１ダクト３５内を負圧空間にするファン３６とを備えており、上面から下方に向かって空気を吸引することができる。また、第１搬送ベルト３３には多数の空気吸引用の第１貫通孔３３ｂ（図７参照）が設けられている。上記の構成により、第１搬送ユニット３０は第１搬送ベルト３３の搬送面３３ａに用紙Ｓを吸着保持しながら搬送する。なお、第１ダクト３５の上面は、第１搬送ベルト３３の内面を支持する搬送ガイドとして機能する。
【００２７】
第２搬送ユニット４０は、第２駆動ローラー４１と第２従動ローラー４２とに巻き掛けられた無端状の第２搬送ベルト４３を備えている。第２搬送ベルト４３は第２駆動ローラー４１により図２において反時計回り方向に回転する。記録部９によって画像が記録され、第１搬送ユニット３０によって矢印Ｘ方向へ搬送された用紙Ｓは第２搬送ベルト４３に受け渡されて第２搬送ベルト４３の搬送面４３ａ（図２において上面）に吸着保持され、図２の矢印Ｚ方向へと搬送される。
【００２８】
第２搬送ベルト４３の内側であって第２搬送ベルト４３の搬送面４３ａの裏側に対向する箇所には第２吸引部４４が備えられている。第２吸引部４４は、上面に空気吸引用の第２吸引口４５ａ（図７参照）が複数設けられた第２ダクト４５と、第２ダクト４５内の空気を外部に排出して第２ダクト４５内を負圧空間にするファン４６とを備えており、上面から下方に向かって空気を吸引することができる。また、第２搬送ベルト４３には多数の空気吸引用の第２貫通孔４３ｂ（図７参照）が設けられている。上記の構成により、第２搬送ユニット４０は第２搬送ベルト４３の搬送面４３ａに用紙Ｓを吸着保持しながら搬送する。なお、第２ダクト４５の上面は、第２搬送ベルト４３の内面を支持する搬送ガイドとして機能する。
【００２９】
図７に示すように、第１搬送ユニット３０の複数の第１吸引口３５ａは、第１ダクト３５の上面の略全域にわたって形成されている一方、第２搬送ユニット４０の複数の第２吸引口４５ａは、第２ダクト４５の上面の一部（ここでは左側（搬送方向下流側）の部分）のみに形成されている。
【００３０】
なお、図７の位置Ｐ１は第１吸引口３５ａの最上流端を示し、位置Ｐ２は第１吸引口３５ａの最下流端を示しており、第１ダクト３５の吸引作用は、位置Ｐ１から位置Ｐ２までの領域に作用する。記録ヘッド１７ａ〜１７ｃは、位置Ｐ１から位置Ｐ２までの領域に対向する対向領域の内側に配置されている。また、位置Ｐ３は第２吸引口４５ａの最上流端を示し、位置Ｐ４は第２吸引口４５ａの最下流端を示しており、第２ダクト４５の吸引作用は、位置Ｐ３から位置Ｐ４までの領域に作用する。
【００３１】
ここで、本実施形態では、第１搬送ユニット３０および第２搬送ユニット４０は、用紙Ｓが第１搬送ユニット３０と第２搬送ユニット４０とに跨っているとき、跨った１枚の用紙Ｓに対する第１搬送ユニット３０の吸着力が第２搬送ユニット４０の吸着力よりも常に大きくなるように構成されている。
【００３２】
これを実現するために、例えば、ファン３６の出力がファン４６の出力よりも大きく構成されていてもよい。ファン３６がファン４６よりも多く設置されていてもよい。第１貫通孔３３ｂの直径が第２貫通孔４３ｂの直径よりも大きく形成されていてもよい。第１貫通孔３３ｂが第２貫通孔４３ｂよりも単位面積当たりの数が多くなるように形成されていてもよい。第１吸引口３５ａが第２吸引口４５ａよりも大きく（例えば、用紙搬送方向の長さ及び用紙幅方向の長さの少なくとも一方が大きく）形成されていてもよい。第１吸引口３５ａの数（ここでは９個）が第２吸引口４５ａの数（ここでは３個）よりも多くなるように形成されていてもよい。
【００３３】
また、第２吸引口４５ａは、第１吸引口３５ａの最下流端（位置Ｐ２）から、用紙搬送方向において最小サイズの用紙Ｓの長さ以上の距離Ｌ１を隔てて配置されている。
【００３４】
図１に示すように、第２搬送ユニット４０の用紙搬送方向下流側に配置されるデカーラー部１４は、矯正ローラー（搬送ローラー）１４ａと、矯正ローラー１４ａとの間で用紙Ｓをニップして搬送する矯正ベルト（第３搬送ベルト）１４ｂと、矯正ベルト１４ｂが巻き掛けられた第３駆動ローラー１４ｃと第３従動ローラー１４ｄと、を含んでいる。また、矯正ローラー１４ａと矯正ベルト１４ｂとのニップ部は、第１吸引口３５ａの最下流端（位置Ｐ２）から、用紙搬送方向において最大サイズの用紙Ｓの長さ未満の距離を隔てて配置されている。
【００３５】
本実施形態では、上記のように、第１搬送ユニット３０および第２搬送ユニット４０は、用紙Ｓが第１搬送ユニット３０と第２搬送ユニット４０とに跨っているとき、用紙Ｓに対する第１搬送ユニット３０の吸着力が用紙Ｓに対する第２搬送ユニット４０の吸着力よりも大きくなるように構成されている。これにより、記録ヘッド１７ａ〜１７ｃによる印字動作が完了する前に、第２搬送ユニット４０の影響を受けて用紙Ｓが引っ張られたり撓んだりするのを抑制することができる。このため、画像不具合が発生するのを抑制することができる。
【００３６】
なお、用紙Ｓに対する第２搬送ユニット４０の吸着力が用紙Ｓに対する第１搬送ユニット３０の吸着力よりも大きくなると、第２搬送ユニット４０の搬送速度が第１搬送ユニット３０の搬送速度よりも大きい場合、用紙Ｓは第２搬送ユニット４０に引っ張られる。その一方、第２搬送ユニット４０の搬送速度が第１搬送ユニット３０の搬送速度よりも小さい場合、第１搬送ユニット３０と第２搬送ユニット４０との間で用紙Ｓが撓む。このため、画像不具合が発生する場合がある。
【００３７】
また、第２吸引口４５ａは、第１吸引口３５ａから、用紙搬送方向において最小サイズの用紙Ｓの長さ以上の距離Ｌ１を隔てて配置されている。これにより、用紙搬送方向において最小サイズの用紙Ｓを搬送する場合、用紙Ｓの後端部が第１搬送ユニット３０により吸着された状態で用紙Ｓの前端部が第２搬送ユニット４０により吸着されるのを防止することができる。このため、記録ヘッド１７ａ〜１７ｃによる印字動作が完了する前に用紙Ｓが第２搬送ユニット４０の影響を受けて画像不具合が発生するのを防止することができる。なお、用紙Ｓが小サイズである場合、第１搬送ユニット３０による用紙搬送の最終局面（用紙Ｓの後端部のみが第１搬送ユニット３０上に位置している状態）では、第１搬送ユニット３０の吸着力は小さい。本実施形態は、その状態（第１搬送ユニット３０の吸着力が小さい状態）で第２搬送ユニット４０の影響を受けるのを抑制することができるので、特に有効である。
【００３８】
また、上記のように、第２搬送ユニット４０の用紙搬送方向下流側に配置される矯正ローラー１４ａと、矯正ローラー１４ａとの間で用紙Ｓをニップして搬送する矯正ベルト１４ｂと、を備える。これにより、搬送ローラー対を用いて用紙Ｓをニップして搬送する場合と比べて、小さいニップ圧で用紙Ｓを搬送することができる。このため、第２搬送ユニット４０を通過した用紙Ｓのインクが十分に乾燥していない場合であっても、画像が劣化するのを抑制することができる。
【００３９】
また、矯正ローラー１４ａと矯正ベルト１４ｂとのニップ部は、第１吸引口３５ａから、用紙搬送方向において最大サイズの用紙Ｓの長さ未満の距離を隔てて配置されている。これにより、最大サイズの用紙Ｓが搬送される場合、用紙Ｓの後端部が第１搬送ユニット３０により吸着されている状態で、用紙Ｓの前端部側の部分は矯正ローラー１４ａと矯正ベルト１４ｂとによってニップされる。第１搬送ユニット３０による用紙搬送の最終局面（用紙Ｓの後端部のみが第１搬送ユニット３０上に位置している状態）では、第１搬送ユニット３０の吸着力は小さくなる。本実施形態では、用紙Ｓの前端部側の部分は矯正ローラー１４ａと矯正ベルト１４ｂとによってニップされるので、その状態（第１搬送ユニット３０の吸着力が小さい状態）で第２搬送ユニット４０の影響を受けるのを抑制することができるので、特に有効である。
【００４０】
（第２実施形態）
本発明の第２実施形態のプリンター１００では図８に示すように、第１吸引口３５ａは、用紙幅方向において最小サイズの用紙Ｓが通過する通過領域Ｑ内に配置されている。すなわち、第１吸引口３５ａは、通過領域Ｑの外側には形成されていない。
【００４１】
また、第２吸引口４５ａは第１吸引口３５ａと同様、通過領域Ｑ内に配置されている。すなわち、第２吸引口４５ａは、通過領域Ｑの外側には形成されていない。
【００４２】
第２実施形態のその他の構造は、上記第１実施形態と同様である。
【００４３】
本実施形態では、上記のように、第１吸引口３５ａは、用紙幅方向において最小サイズの用紙Ｓが通過する通過領域Ｑ内に配置されている。これにより、いかなるサイズの用紙Ｓを搬送する場合であっても、第１吸引部３４の吸引力が無駄になるのを抑制することができる。
【００４４】
また、上記のように、第２吸引口４５ａは、用紙幅方向において最小サイズの用紙Ｓが通過する通過領域Ｑ内に配置されている。これにより、いかなるサイズの用紙Ｓを搬送する場合であっても、第２吸引部４４の吸引力が無駄になるのを抑制することができる。
【００４５】
第２実施形態のその他の効果は、上記第１実施形態と同様である。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
例えば、上記実施形態では、第１ダクト３５の上面および第２ダクト４５の上面が第１搬送ベルト３３の内面および第２搬送ベルト４３の内面をそれぞれ支持する搬送ガイドとして機能する例について示したが、本発明はこれに限らない。第１搬送ベルト３３の内面および第２搬送ベルト４３の内面をそれぞれ支持する搬送ガイドを第１ダクト３５および第２ダクト４５とは別体で設け、その搬送ガイドに空気吸引用の第１吸引口および第２吸引口を設けてもよい。
【符号の説明】
【００４８】
１４ａ  矯正ローラー（搬送ローラー）
１４ｂ  矯正ベルト（第３搬送ベルト）
１７ａ〜１７ｃ  記録ヘッド
３０  第１搬送ユニット
３３  第１搬送ベルト
３３ｂ  第１貫通孔
３４  第１吸引部
３５ａ  第１吸引口
４０  第２搬送ユニット
４３  第２搬送ベルト
４３ｂ  第２貫通孔
４４  第２吸引部
４５ａ  第２吸引口
１００  プリンター（インクジェット記録装置）
Ｌ１  距離
Ｑ  通過領域
Ｓ  用紙（記録媒体）
【図１】
2016198882.tif 000003
【図２】
2016198882.tif 000004
【図３】
2016198882.tif 000005
【図４】
2016198882.tif 000006
【図５】
2016198882.tif 000007
【図６】
2016198882.tif 000008
【図７】
2016198882.tif 000009
【図８】
2016198882.tif 000010